(57)【要約】【課題】溶解操作が容易であり、溶解操作に際して針先の汚染や針先による怪我を回避し、溶解操作中の液漏れを防止する液体移注具を提供する。【解決手段】液体移注具は、天面１１とスカート部１３と穿刺針挿着部１２とを有してなるガイド部材１と、このガイド部材１の穿刺針挿着部１２に、その先端２２３が前記スカート部１３の内側に後退した位置からスカート部１３の外側に突出した位置までスライド可能に挿着された穿刺部材２を含んでなる。穿刺部材２は、基端にチップ装着部２１を有するとともに、先端に前記穿刺針挿着部１２に挿着される穿刺針２２を有する管状部材であり、穿刺針２２には、チップ２１と連通する液体通路２２２と、エアフィルター２３１を通して外部と連通する気体通路２２１が設けられている。【選択図】　　　図１
2004097253.tif 000002
【特許請求の範囲】
【請求項１】
天面とスカート部と、該天面の軸上に天面を貫通して設けられた管状の穿刺針挿着部、とを有してなるキャップ状のガイド部材と、該ガイド部材の穿刺針挿着部に、その先端が前記スカート部の内側に後退した位置からスカート部の外側に突出した位置までスライド可能に挿着された穿刺部材を含んでなり、該穿刺部材は、基端にシリンジのチップを装着可能なチップ装着部を有するとともに、先端に前記穿刺針挿着部に挿着される穿刺針を有する管状部材であり、該穿刺針は気体通路と液体通路を備えており、液体通路とチップ装着部が連通するとともに、気体通路がエアフィルターを通して外部に開放されてなる、液体移注具。
【請求項２】
ガイド部材のスカート部にスリットを設け、スカート部の内側に後退した位置にある穿刺針を視認可能にしてなる請求項１に記載の液体移注具。
【請求項３】
穿刺針の基端に円板状の鍔が設けられ、該鍔と穿刺針挿着部の基端が衝突して穿刺部材の前進方向へのスライドが停止される請求項１または２に記載の液体移注具。
【請求項４】
穿刺針挿着部の内壁が基端側の一部を残してアンダーカットされるとともに、穿刺針の中間部に環状突起が設けられ、前記アンダーカットにより形成された段部と前記環状突起が係合して穿刺部材の後退方向へのスライドが停止される請求項１〜３のいずれかに記載の液体移注具。
【請求項５】
穿刺部材の鍔とガイド部材の天面の間に、穿刺部材が不用意にスライドするのを防止するスライド抑制手段を設けてなる請求項４に記載の液体移注具。
【請求項６】
スライド抑制手段がバネである請求項５に記載の液体移注具。
【請求項７】
スライド抑制手段がつっかえ部材である請求項５に記載の液体移注具。
【発明の詳細な説明】
【０００１】
【発明の属する技術分野】
本発明は、液体移注具に関する。本発明の液体移注具は、使用前における針先の汚染や、使用時における針先による怪我や液漏れの問題を解消するものである。
【０００２】
【従来の技術】
医療機関での生体接着・混注などを目的とした成分液の準備、あるいは在宅医療での自己注射では、バイアルに入った乾燥薬剤を溶解調製した後、これをシリンジに移し替えて用いている。これらの操作には、従来、針付きのシリンジや両頭針という両端に中空の穿刺針を有する器具等が使用されてきた。すなわち、針付きのシリンジを使用する場合には、先ず、その針を溶解液容器の口部ゴム栓に刺入して一定量の溶解液をシリンジに採取し、次に、その針をバイアルの口部ゴム栓に刺入してバイアル内に溶解液を注入する。そして、バイアルを震盪して薬剤を溶解した後、再び針をゴム栓に刺入して薬液の一定量をシリンジに採取する。また、両頭針を使用する場合には、両頭針の両端の穿刺針をそれぞれ薬剤の入ったバイアルのゴム栓および溶解液容器のゴム栓に刺入して両者を連通させ、溶解液をバイアル内に移送して薬剤を溶解し、バイアルから溶解液容器および両頭針を取り外した後、前記と同様に、針をバイアルのゴム栓に刺入してシリンジに一定量の薬液を採取している。
【０００３】
これら従来技術は、針付シリンジを用いて薬剤の溶解操作を行う場合には、操作が煩雑であるばかりでなく針が露出されているため使用前に針先が汚染されたり、使用時に針先で怪我をする虞があった。また、両頭針を使用する場合には、両頭針の抜針時やシリンジに一定の薬液を採取する際に、針付シリンジの場合と同様に針先が露出されているため、針先で怪我をしたり、薬液の採取前に針先が汚染する虞があった。そこで、このような問題を解消するために、溶解操作に際して薬液の注入・採取のいずれの操作も行うことの出来る混注用アダプターが提案されている（例えば、特許文献１参照）。
【０００４】
【特許文献１】
特開平７−２１３５８５号公報（段落番号０００８〜００１２、図１、図２）
【０００５】
上記特許文献１の混注用アダプターは、円板状のハブの同軸上反対側にそれぞれ中空の穿刺針と管状のチップ装着部が設けられており、ハブの外縁にそれぞれ穿刺針およびチップ装着部を超えるように同心状に延びる筒状のスカートが設けられているものであり、針先の汚染や怪我を回避しながらバイアルに入った乾燥薬剤を溶解調製した後、シリンジに移し替えて用いるのに便利である。しかしながら、バイアルへの針刺しを行う際にスカートの先端がバイアルの肩に当たらないようにするために、スカートの長さが限定されており、そのためバイアルを真っ直ぐに装着することができず、バイアルのゴム栓と針との間に隙間が出来て、溶解操作中に薬液漏れを生ずる虞があった。
【０００６】
【発明が解決しようとする課題】
本発明は、如上の事情に鑑みてなされたもので、溶解操作が容易であり、溶解操作に際して針先の汚染や針先による怪我を回避し、溶解操作中の液漏れを防止する液体移注具を提供することを目的とする。
【０００７】
【課題を解決するための手段】
本発明者等は上記課題を解決するために、鋭意検討の結果、穿刺部材の先端を、スカート部の内側に後退した位置からスカート部の外側に突出した位置まで、スライド可能にすればよいことに想到し、本発明に到達した。すなわち本発明は、天面とスカート部と、この天面の軸上に天面を貫通して設けられた管状の穿刺針挿着部、とを有してなるキャップ状のガイド部材と、このガイド部材の穿刺針挿着部に、その先端が前記スカート部の内側に後退した位置からスカート部の外側に突出した位置までスライド可能に挿着された穿刺部材を含んでなり、この穿刺部材は、基端にシリンジのチップを装着可能なチップ装着部を有するとともに、先端に前記穿刺針挿着部に挿着される穿刺針を有する管状部材であり、この穿刺針は気体通路と液体通路を備えており、液体通路とチップ装着部が連通するとともに、気体通路がエアフィルターを通して外部に開放されてなる、液体移注具に関する。
【０００８】
ここで、ガイド部材は、そのスカート部にスリットを設け、スカート部の内側に後退した位置にある穿刺針を視認可能にするのがよい。また、穿刺針の基端に円板状の鍔を設け、この鍔と穿刺針挿着部の基端が衝突して穿刺部材の前進方向へのスライドが停止されるようにしてもよく、穿刺針挿着部の内壁が基端側の一部を残してアンダーカットされるとともに、穿刺針の中間部に環状突起が設けられ、前記アンダーカットにより形成された段部と前記環状突起が係合して穿刺部材の後退方向へのスライドが停止されるようにしてもよい。また、穿刺部材が不用意にスライドするのを防止するために、穿刺部材の鍔とガイド部材の天面の間にスライド抑制手段を設けてもよく、スライド抑制手段としては、バネや、つっかえ部材が好適である。
【０００９】
【発明の実施の形態】
次に、本発明の実施例について、図面を用いて説明する。
図１は本発明の一実施例を示す正面図であり、図２は図１のＸ−Ｘ線断面図、図３は本発明の他の実施例を示す縦断面図、図４は本発明の更に他の実施例を示す正面図、図５および図６はそれぞれ図４の正面断面図およびＹ−Ｙ線断面図である。また、図７および図８は本発明の液体移注具の使用状況説明図である。
本発明の液体移注具は、図１〜図６に示すように、天面１１とスカート部１３と穿刺針挿着部１２とを有してなるガイド部材１と、このガイド部材１の穿刺針挿着部１２に、その先端２２３が前記スカート部１３の内側に後退した位置からスカート部１３の外側に突出した位置までスライド可能に挿着された穿刺部材２を含んでなる。穿刺部材２は、基端にチップ装着部２１を有するとともに、先端に前記穿刺針挿着部１２に挿着される穿刺針２２を有する管状部材であり、穿刺針２２には、チップ２１と連通する液体通路２２２と、エアフィルター２３１を通して外部と連通する気体通路２２１が設けられている。
【００１０】
ガイド部材１は、一般に、ポリプロピレンやポリエチレン、ポリエステル、ポリ塩化ビニル、ポリカーボネート、ＡＢＳ樹脂などのプラスチックで形成されたキャップ状部材であり、天面１１とスカート部１３と、この天面１１の軸上に天面１１を貫通して設けられた管状の穿刺針挿着部１２とを有してなる。スカート部１３は、バイアルの口部が内壁に沿ってスライド可能な内径を有しており、その先端側には、スカート部１３の内側に後退した位置にある穿刺針２２を確認するためのスリット１４が設けられており、その内壁には、バイアル口部のスムーズなスライドを可能にする複数（通常３〜５個）の縦リブ１５が設けられている。この縦リブ１５は天面１１に隣接する基端側部分を残してアンダーカットされており、スカート部１３の先端１３１がバイアルの肩部に接触する位置まで前進した時に、アンダーカットによって形成された段部１５１がバイアルの口部と衝合する様になっている。
【００１１】
穿刺針挿着部１２は、その内壁が基端側の一部を残してアンダーカットされており、この内壁に穿刺部材２の穿刺針２２がスライド可能に挿着されている。そしてこの構成により、穿刺部材２は、アンダーカットによって形成された段部１２１に後述の穿刺針２２の環状リブ２２４が係合する位置まで後退可能になっている。そのため、アンダーカットの位置および環状リブ２２４の位置は、これらが係合した時に、穿刺部材２の先端２２３、すなわち穿刺針２２の先端２２３がスカート部１３の内側に後退した位置に在るように決められる（図７参照）。また、穿刺部材２は、穿刺針挿着部１２の基端１２２が後述の穿刺部材２の鍔２４と衝突する位置まで前進可能になっている。そのため、穿刺針挿着部１２の天面１１からの突出長は、穿刺針挿着部１２の基端１２２が後述の穿刺部材２の鍔２４と衝突した時に、穿刺部材２の先端２２３がスカート部１３の外側に突出した位置に在るように決められる（図８参照）。
【００１２】
穿刺部材２は、一般に、ポリプロピレンやポリエチレン、ポリエステル、ポリカーボネート、ＡＢＳ樹脂などのプラスチックで形成された管状部材であり、ガイド部材１の穿刺針挿着部１２に、その先端２２３がスカート部１３の内側に後退した位置からスカート部１３の外側に突出した位置までスライド可能に挿着されている。穿刺部材２は、基端にシリンジのチップ（図示していない）を装着可能なチップ装着部２１を有するとともに、先端に穿刺針挿着部１２に挿着される穿刺針２２を有している。
【００１３】
穿刺針２２は気体通路２２１と液体通路２２２を備えており、液体通路２２２はチップ装着部２１と連通し、気体通路２２１はこれと連通するフィルター部２３のエアフィルター２３１を通して外部に開放されている。穿刺針２２の基端には、例えば円板状の鍔２４を設け、穿刺部材２の先端２２３がスカート部１３の外側に突出した位置で、鍔２４と穿刺針挿着部１２の基端１２２が衝突し、穿刺部材２の前進方向へのスライドが停止されるようにしてもよい。穿刺針２２の中間部には、環状リブ２２４を設け、穿刺部材２の先端２２３がスカート部１３の内側に引っ込んだ位置で、環状リブ２２４と穿刺針挿着部１２の段部１２１が係合し、穿刺部材２の後退方向へのスライドが停止されるようにしてもよい。
また、穿刺部材２が不用意にスライドするのを防止するために、穿刺部材２の鍔２４とガイド部材１の天面１１の間にスライド抑制手段を設けてもよく、スライド抑制手段としては、図４〜図６に示すようなバネ３２や、図３に示すようなコルセットのような機能を有するつっかえ部材３１が好適である。
【００１４】
次に、本発明の液体移注具の使用について、図７および図８を用いて説明する。
先ず、図７に示すように、液体移注具ＴＮとバイアルＶを用意する。この時、穿刺針２２の先端２２３はスカート部１３の内側に在る。次に、スカート部１３をバイアルＶの口部Ｍに宛がい、液体移注具ＴＮ全体を真っ直ぐに押し下げると、ゴム栓ＲＳが穿刺針２２によって刺通され、液体移注具ＴＮの前進は、穿刺針挿着部１２と鍔２４が衝突する位置で止まる。この時、段部１５１がバイアルＶの口部Ｍと衝合しており、バイアルＶの内部は、穿刺針２２の気体通路２２１および液体通路２２２を介して、それぞれ外気およびチップ装着部２１と連通している（図８参照）。この状態で、チップ装着部２１に溶解液の充填されたシリンジ（図示していない）を接続すれば、容易に溶解操作を行うことができる。
【００１５】
【発明の効果】
以上述べたことから明らかなように、本発明を採用することにより、容易に溶解操作を行うことができる。また、溶解操作に際して針先の汚染や針先による怪我を回避し、溶解操作中の液漏れを防止することができる。
【図面の簡単な説明】
【図１】本発明の一実施例を示す正面図である。
【図２】図１のＸ−Ｘ線断面図である。
【図３】本発明の他の実施例を示す縦断面図である。
【図４】本発明の更に他の実施例を示す正面図である。
【図５】図４の正面断面図である。
【図６】図４のＹ−Ｙ線断面図である。
【図７】本発明の液体移注具の使用状況説明図である。
【図８】本発明の液体移注具の使用状況説明図である。
【符号の説明】
１　ガイド部材
１１　天面
１２　穿刺針挿着部
１２１　段部
１２２　穿刺針挿着部の基端
１３　スカート部
１３１　スカート部の先端
１４　スリット
１５　縦リブ
１５１　段部
２　穿刺部材
２１　チップ装着部
２２　穿刺針
２２１　気体通路
２２２　液体通路
２２３　穿刺部材の基端（穿刺針の先端）
２２４　環状リブ
２３　フィルター部
２３１　エアフィルター
２４　鍔
ＴＮ　液体移注具
Ｖ　バイアル
Ｍ　口部
ＲＳ　ゴム栓
【図１】
2004097253.tif 000003
【図２】
2004097253.tif 000004
【図３】
2004097253.tif 000005
【図４】
2004097253.tif 000006
【図５】
2004097253.tif 000007
【図６】
2004097253.tif 000008
【図７】
2004097253.tif 000009
【図８】
2004097253.tif 000010